(57)【特許請求の範囲】
【請求項１】
略水平に広がる天板と、
前記天板の下方における前記天板の前方寄りの位置に配置される幕板と、を備え、
前記幕板は、前記天板の下方に設けられた回転軸を中心に回転可能に構成された板状部材を含み、
前記幕板は、前記天板に対して交差して配置される第１位置と、前記幕板の前側面が前記天板側を向き、前記第１位置よりも前記天板となす角度が小さくなる第２位置と、を含む範囲において変位可能であり、
前記幕板の前記板状部材は、前記第２位置において前記天板と向かい合う領域を有しており、
前記板状部材における前記第１位置において前記天板に近い側の端部を第１端部としたときに、前記領域における、前記第１端部から、前記第１端部とは反対の端部に向かって離れた位置に、該位置と前記第１端部との間の位置と比較して前記幕板の後側に向かって凹んだ凹部が形成されている
ことを特徴とするテーブル。
【請求項２】
前記凹部は、少なくとも、前記幕板における前記天板の下面の前端部と向かい合う領域を含むように形成されている
ことを特徴とする請求項１に記載のテーブル。
【請求項３】
前記幕板における前記第１端部の前側の少なくとも一部には、前記回転軸を中心軸とする円柱状に形成された円柱部が形成されており、
前記凹部は、前記円柱部に隣接して形成されている
ことを特徴とする請求項１又は請求項２に記載のテーブル。
【請求項４】
前記天板は、該天板が略水平に拡がる水平状態と、該水平状態よりも前方が下がって傾斜した傾斜状態と、に遷移可能であり、
前記幕板と前記天板とを連結し、前記水平状態のときに前記幕板を前記第１位置とし、前記傾斜状態のときに前記幕板を前記第２位置とするリンク部が設けられている
ことを特徴とする請求項１から請求項３のいずれか１項に記載のテーブル。
【発明の詳細な説明】
【技術分野】
【０００１】
本発明は、幕板を備え、天板を回転可能に構成されたテーブルに関する。
【背景技術】
【０００２】
従来、幕板を備えるテーブルが用いられている。またこのようなテーブルのうち、収納効率の向上などを目的として天板が回転可能に構成されたものの中には、天板の回転に伴って幕板も回転するように構成されたものがある（例えば特許文献１参照）。
【先行技術文献】
【特許文献】
【０００３】
【特許文献１】特開２００１−１６１４４６号公報
【発明の概要】
【発明が解決しようとする課題】
【０００４】
天板及び幕板が回転するテーブルでは、天板と幕板の位置関係が変化する。そのため、手で天板の端を掴んだ状態で天板を回転させると、幕板と手が接触してしまう場合がある。その結果、例えば、使用者による天板の回転操作が妨げられたり、使用者が手に違和感を覚えたりすることがあった。
【０００５】
本発明の目的は、幕板と手が接触することによる影響を低減することができるテーブルを提供することである。
【課題を解決するための手段】
【０００６】
本開示の一態様は、略水平に広がる天板と、前記天板の下方における前記天板の前方寄りの位置に配置される幕板と、を備え、前記幕板は、前記天板に対して交差して配置される第１位置と、前記幕板の前側面が前記天板側を向き、前記第１位置よりも前記天板となす角度が小さくなる第２位置と、を含む範囲において変位可能であり、前記幕板における前記第１位置において前記天板に近い側の端部を第１端部としたときに、前記幕板は、前記第２位置において前記天板と向かい合う領域のうちの少なくとも一部に、少なくとも前記一部より前記第１端部側に位置する部分よりも前記幕板の後側に向かって凹んだ凹部が形成されていることを特徴とするテーブルである。
【０００７】
このように構成されたテーブルでは、幕板が第１位置から第２位置に変位したときに幕板における天板と向かい合う部分、すなわち上記変位によって天板と幕板との間の空間が小さくなる可能性のある部分に凹部が形成されているため、上記空間に指や手などが位置するときに上記空間が小さくなっても指や手は凹部に退避することができ、幕板と手が接触することによる影響を低減できる。
【０００８】
また、上記テーブルにおいて、前記凹部は、少なくとも、前記幕板における前記天板の前方の端部と向かい合う領域を含むように形成されていてもよい。
天板の端部は指を掛ける可能性が高い部分であるため、凹部が上述したように構成されていることで凹部を効果的に活用することができ、指が幕板に接触して受ける影響の低減を高度に実現できる。
【０００９】
また、上記テーブルにおいて、前記幕板は、前記天板の下方に設けられた回転軸を中心に回転可能であり、また前記幕板における前記第１端部の前側の少なくとも一部には、前記回転軸を中心軸とする円柱状に形成された円柱部が形成されており、前記凹部は、前記円柱部に隣接して形成されていてもよい。
【００１０】
このように構成されたテーブルでは、天板に対して幕板が回転したときに生じる、天板と幕板との間に存在する空間の形状の変化が低減される。よって、幕板の回転に伴って指が押し出されることが抑制され、幕板の回転による影響を低減できる。
【００１１】
また、上記テーブルにおいて、前記天板は、該天板が略水平に広がる水平状態と、該水平状態よりも前方が下がって傾斜した傾斜状態と、に遷移可能であり、前記幕板と前記天板とを連結し、前記水平状態のときに前記幕板を前記第１位置とし、前記傾斜状態のときに前記幕板を前記第２位置とするリンク部が設けられていてもよい。
【００１２】
このように構成されたテーブルでは、天板の回転に合わせて幕板が強制的に変位するため、幕板と天板との間に指などが位置していると、幕板や天板に強い力で接触してしまう恐れがあるが、上述した凹部によって、幕板と手が接触したときの影響を低減することができるため都合がよい。
【図面の簡単な説明】
【００１３】
【図１】水平状態であるテーブル１を示す図であって、図１（Ａ）が側面図であり、図１（Ｂ）が平面図であり、図１（Ｃ）が背面図である。
【図２】傾斜状態であるテーブル１を示す側面図である。
【図３】天板と幕板の拡大図であって、図３（Ａ）が、天板が水平状態のときを示す図であり、図３（Ｂ）が、天板が傾斜状態のときを示す図である。
【図４】図４（Ａ）〜（Ｄ）が、天板と幕板の位置関係の変化を説明する図である。
【図５】指が凹部に掛かった状態を説明する図である。
【図６】図６（Ａ）、（Ｂ）が、変形例のテーブルを説明する図である。
【図７】図７（Ａ）〜（Ｆ）が、変形例のテーブルを説明する図である。
【図８】図８（Ａ）〜（Ｃ）が、変形例のテーブルを説明する図である。
【図９】変形例のテーブルを説明する図である。
【図１０】変形例のテーブルを説明する図である。
【図１１】本発明の適用されない従来のテーブルを説明する図である。
【発明を実施するための形態】
【００１４】
以下に本発明の実施形態を図面と共に説明する。
（１）全体構成
本実施形態におけるテーブル１の全体構成を、図１及び図２を用いて説明する。
【００１５】
テーブル１は、天板１０と、天板１０を保持する左右一対の脚部２０と、天板１０の下方における前方寄りに配置される幕板３０と、を備えている。なお、使用者が着席時に向く方向をテーブル１の前方、着席する側をテーブル１の後方とする。また左右方向とは前後方向及び上下方向と直交する方向である。
【００１６】
天板１０は略矩形の板状の部材であって、テーブル１の左右方向に延びる主回転軸１１を中心として、図１（Ａ）〜（Ｃ）に示す水平状態と、図２に示す傾斜状態と、を含む範囲で回転可能となっている。天板１０は、水平状態においては略水平方向に拡がっており、傾斜状態においては前方が下に傾斜した状態となる。
【００１７】
天板１０の下側面の前方端部付近には支持部１２が設けられ、支持部１２によって左右方向に延びる第１回転軸１３が支持されている。第１回転軸１３は、幕板３０を回転可能に支持する。また天板１０の下方にはレバー１４が設けられており、このレバー１４を操作したときに天板１０の回転変位が可能となる。天板１０の回転を許可するレバー１４の機構は公知であるため、説明を割愛する。
【００１８】
脚部２０はテーブル１の左右に設けられている。この脚部２０は、天板１０から床面に向かって前方に傾斜して延びる主脚２１と、主脚２１の延びた先（即ち下端）から後方に延びる副脚２２と、を有しており、主脚２１の下端および副脚２２の後側端部にはキャスター２３が設けられている。
【００１９】
幕板３０は矩形の板状の部材である。幕板３０の前側（表側）面には、左右方向に長さを有し、後方に凹んだ凹部４１が形成されている。凹部４１の詳細は後述する。
幕板３０は、天板１０に近い側の端部である第１端部３０ａにて第１回転軸１３と連結している。また幕板３０の後方にはリンク部材３１が備えられており、幕板３０はリンク部材３１を介して主脚２１と連結されている。リンク部材３１は、幕板３０の裏面に設けられる第２回転軸３２と、主脚２１に設けられる第３回転軸３３と、に対して回転可能に連結されている。
【００２０】
天板１０が水平状態から傾斜状態に回転するときには、幕板３０は第１回転軸１３を中心として、図１（Ａ）にて右回りに回転する。また同時に、リンク部材３１は、第２回転軸３２を中心として、図１（Ａ）にて左回りに回転し、同時に、第３回転軸３３を中心として、図１（Ａ）にて左回りに回転する。これらの回転方向は、図１（Ａ）において矢印にて示す方向である。
【００２１】
なお天板１０が上述した水平状態にあるとき、幕板３０は天板１０に対して交差して配置される。より詳細には、幕板３０は天板１０に対して略直交した状態となっている。幕板３０のこの位置が、本発明における第１位置の一例である。
【００２２】
一方、天板１０が図２に示すような上述した傾斜状態にあるとき、幕板３０は前側面が天板１０側を向き、天板１０が水平状態にあるときよりも天板１０となす角度が小さくなる。より詳細には、幕板３０は天板１０に対して略平行となっている。幕板３０のこの位置が、本発明における第２位置の一例である。
【００２３】
なお、天板１０及び幕板３０の交差、平行、及び、それらの成す角度などは、天板１０及び幕板３０を平板と仮定したときのその主たる面を基準として判断するものとする。
（２）幕板の凹部の形状及びその機能
幕板３０の凹部４１の形状を、図３（Ａ），（Ｂ）を用いて説明する。なお、図３以降の図において、幕板の下方を短縮した模式図を用いる場合がある。また図３以降の図において、理解を容易にする目的で、図面上は天板を変位させず、幕板のみを変位させて説明する。また天板１０や幕板３０の各部分を説明する上下等の方向については、特に説明がない場合、便宜上、天板１０が水平状態にあるときに上下となる方向を用いる。
【００２４】
幕板３０における第１端部３０ａの前側の領域は、第１回転軸１３を中心軸とする円柱状に形成された円柱部４２として形成されている。言い換えると、第１端部３０ａは、前方から見える範囲については左右方向を軸方向とする円柱形状となっている。
【００２５】
凹部４１は、円柱部４２に隣接して円柱部４２の下側に形成されている。凹部４１は、円柱部４２の最も前側に位置する前端部分４２ａ、及び幕板３０の前側主要面３０ｂよりも奥に凹んでいる部分全体を指す。なお前側主要面３０ｂは、幕板３０において凹部４１の下方に位置する面である。
【００２６】
凹部４１は、図３（Ｂ）に示すように、天板１０が上述した傾斜状態にあるときに、天板１０と向かい合う領域Ｄの少なくとも一部に形成される。凹部４１は領域Ｄ全体に形成される必要はない。また領域Ｄ以外の部分にも拡がって形成されていてもよい。
【００２７】
なお、幕板３０における天板１０と向かい合う領域Ｄとは、例えば、（ｉ）天板１０が傾斜状態にあるときに、幕板３０と平行な仮想的な平面に天板１０及び幕板３０を投影したときに、その投影面において、幕板３０のうち天板１０と重複する部分と説明することができるが、（ｉｉ）天板１０が傾斜状態にあるときに、天板１０と平行な仮想的な平面に天板１０及び幕板３０を投影したときに、その投影面において、幕板３０のうち天板１０と重複する部分、（ｉｉｉ）上記（ｉ）及び（ｉｉ）の両方を満たす部分、（ｉｖ）上記（ｉ）及び（ｉｉ）のいずれか一方を満たす部分、としてもよい。
【００２８】
また凹部４１は、幕板３０における天板１０の前方の端部と向かい合う領域を含むように形成されている。
次に、凹部４１の機能を図４（Ａ）〜（Ｄ）を用いて説明する。図４（Ａ）は天板１０が水平状態にあるとき（幕板３０が第１位置のとき）を示しており、図４（Ｂ）、（Ｃ）は水平状態から傾斜状態に向かって変化する過程を示しており、図４（Ｄ）は天板１０が傾斜状態であるとき（幕板３０が第２位置のとき）、を示している。
【００２９】
図４（Ａ）は、天板１０が水平状態のときに、指Ｆを天板１０と幕板３０の間に掛けた状態を示している。天板１０を回転させていくと、図４（Ｂ）に示すように、天板１０に対する幕板３０の角度は変化する。
【００３０】
幕板３０は第１回転軸１３を中心に回転するが、第１回転軸１３の周囲は円柱形状であるため、天板１０が回転しても、円柱部４２と天板１０とにより形成される空間の大きさは変化しない。そのため、天板１０の回転中において、上述した空間に存在する指Ｆが幕板３０に強く押し出されたり挟まれたりする危険が低減される。
【００３１】
また、図４（Ｃ）、（Ｄ）のように天板１０と幕板３０とが略平行となったとき、指Ｆの一部は凹部４１に収まるため、指Ｆが押し出されて天板１０から外れたり、指Ｆが１０と３０により挟まれたりする危険が低減される。
【００３２】
また、図５に示すように、水平状態のときに指Ｆが凹部４１に掛かっている場合、幕板３０が回転すると指Ｆの位置は変化することとなるが、天板１０と幕板３０により挟まれる危険は低減される。
【００３３】
なお、上述した機能を発揮するための凹部４１の上下方向の長さは特に限定されないが、手の指などの大きさを考慮すると、１ｃｍ以上とすることが考えられる。長さを２．５ｃｍ以上とすることで、指を十分に退避させることができる。この長さは、凹部４１の前側端部の長さ（前端部分４２ａと前側主要面３０ｂを含む面における長さ）である。
【００３４】
また、凹部４１の深さは特に限定されない。深さが小さくとも、深さに応じて機能を発揮することができる。なお、手の指などの大きさを考慮すると、５ｍｍ以上とすることが考えられ、１ｃｍ以上とすると非常に効果が高くなる。
【００３５】
（３）効果
このように構成されたテーブル１では、以下の効果を奏する。
（３ａ）幕板３０には、凹部４１が円柱部４２よりも後方に凹むように形成されている。そのため、テーブル１を水平状態から傾斜状態に遷移させるにあたり天板１０を回転させるときに、指先が天板１０と円柱部４２の間に位置していたとしても、傾斜状態になるときに指が前方に押し出されたり、天板１０と円柱部４２との間に挟まれたりする危険が低減される。
【００３６】
すなわち、幕板３０に凹部４１が形成されることによって、天板１０を回転させたときに幕板３０と手が接触することによる影響を低減することができる。
なお、図１１（Ａ）〜（Ｇ）に、本発明の凹部が形成されていない幕板を例示する。図１１（Ａ）〜（Ｄ）に示す幕板２００は、天板１０の下方に天板１０から間隔を空けて吊り下げられた回転軸２０１を中心に回転する幕板の例である。図１１（Ｅ）〜（Ｇ）に示す幕板２１０は、回転軸２１１を回転軸２０１よりも前方かつ天板１０に近づけて配置した幕板の例である。
【００３７】
幕板２００は天板１０との間隔が広く指Ｆが挟まれる可能性が高い。幕板２１０は幕板２００と比べると天板１０との間隔が狭く指Ｆが入り込み難いが、凹部が形成されていない分、幕板３０と比較すると、指Ｆが幕板の回転に伴って押し出されたり、挟まれたりする可能性が高くなってしまう。
【００３８】
（３ｂ）凹部４１は、天板１０の前方の端部と向かい合う位置に形成されている。指Ｆを天板１０に掛けると、指Ｆは天板１０の端部に位置する可能性がある。そのため、上述したように凹部４１が配置されていることで、凹部４１を効果的に活用することができ、指Ｆが幕板３０に接触して受ける影響を低減できる。
【００３９】
（３ｃ）幕板３０の上端部には円柱部４２が形成されているため、天板１０に対して幕板３０が回転したときに、天板１０と幕板３０との間に存在する空間の形状の変化が低減される。よって、幕板３０の回転に伴って指が押し出されることが抑制され、幕板３０の回転による指Ｆへの影響を低減できる。
【００４０】
（４）幕板の変形例
上述した効果を奏するテーブルの幕板は、上記実施形態の幕板３０に限定されない。具体的には、以下のように構成されていればよい。
【００４１】
すなわち、幕板は、天板に対して交差して配置される第１位置と、幕板の前側面が天板側を向き、上記第１位置よりも天板となす角度が小さくなる第２位置と、を含む範囲において変位可能である。そして、幕板における上記第１位置において上記天板に近い側の端部を第１端部としたときに、幕板は、上記第２位置において天板と向かい合う領域のうちの少なくとも一部に、少なくとも上記一部より上記第１端部側に位置する部分よりも幕板の後側に向かって凹んだ凹部が形成されている。
【００４２】
以下に、具体的な変形例を挙げる。
（４ａ）凹部が形成される位置は、天板の前方の端部と向かい合う位置を含んでいなくてもよい。具体的には図６（Ａ）、（Ｂ）に示す幕板６０のように構成することが考えられる。
【００４３】
例えば、幕板６０が図６（Ｂ）の位置よりも天板１０側に移動しないように構成されている場合は、凹部６１が天板１０の前方の端部と向かい合う位置まで形成されていなくとも、十分に機能を発揮する。また、幕板６０が図６（Ｂ）の位置よりも天板１０側に移動する場合であっても、挟まれてしまう可能性のある範囲を小さくでき、また挟まれてしまったときの荷重が小さくなるように（荷重が大きくなる第１回転軸１３近傍では指が挟まれにくくなるように）設計することが可能となる。
【００４４】
（４ｂ）凹部の形状も、上記実施形態の凹部４１に限定されず、上述した要件を満たす範囲で様々な形状とすることができる。具体的には、図７（Ａ）〜（Ｃ）に示す幕板７０のように、凹部７１を構成する上部の壁面７１ａが水平状態において略水平となるように形成されていてもよい。このように構成された幕板７０では、壁面７１ａに指Ｆを掛けやすくすることができる。
【００４５】
また、図７（Ｄ）〜（Ｆ）に示す幕板８０のように、凹部８１を構成する上部の壁面８１ａが水平状態において奥側ほど下に傾斜するように形成されていても良い。このように構成された幕板８０では、指Ｆを壁面８１ａに掛けにくくなるが、壁面８１ａにより指Ｆを天板１０と幕板８０とに挟まれにくい位置に案内することができる。
【００４６】
同様に、凹部の中央部や下端も様々な形状とすることができる。また、第１回転軸１３及びその周囲の形状も特に限定されず、円柱部４２が形成されていなくともよく、図７（Ａ）〜（Ｆ）に示すように第１回転軸１３の径が小さくてもよい。
【００４７】
（４ｃ）本発明における凹部とは、第１端部３０ａ側の部分よりも後側に向かって凹んでいる部分を指す。よって幕板における凹部の周囲は、第１端部側（上側）を除き、凹部よりも前方に位置する部分が形成されている必要はない。例えば、前側主要面３０ｂのような凹部よりも前方に位置する部分が凹部の下方に形成されていなくともよい。具体的には、図８（Ａ）〜（Ｃ）に示す幕板９０のように、凹部９１が幕板９０の下端まで続く構成が考えられる。
【００４８】
（４ｄ）凹部は、幕板の左右方向の全域に渡って形成されていてもよいが、幕板の左右方向の一部分にのみ形成されていてもよい。例えば、図９に示す幕板１００のように、凹部１０１は左右の端から所定の距離までの範囲に設けられていてもよい。
【００４９】
（４ｅ）凹部は天板１０に近い側の第１端部３０ａに隣接して形成されていなくともよい。例えば図１０に示す幕板１１０のように、天板１０に近い側の端部から、言い換えると第１回転軸１３から間隔を空けた位置に凹部１１１が設けられていても良い。
【００５０】
（５）その他の実施形態
以上本発明の実施形態について説明したが、本発明は、上記実施形態に何ら限定されることはなく、本発明の技術的範囲に属する限り種々の形態をとり得ることはいうまでもない。
【００５１】
例えば、上記実施形態においては、天板１０が水平状態から傾斜状態まで変位し、それに伴い幕板３０も回転する構成を例示したが、天板１０が回転しない構成であってもよく、また、幕板３０の回転は天板１０に連動するものでなくてもよい。
【００５２】
また幕板３０は、天板１０との角度が変化するように構成されていれば、第１回転軸１３を中心に回転移動する構成でなくてもよい。幕板を上述した第１位置と第２位置との間で変位させながら支持しうる様々な機構を採用することができる。
【００５３】
また、幕板３０は、天板１０が水平状態のときに天板１０に対して直交又は略直交した状態となる構成に限定されず、天板１０が傾斜状態のときに天板１０に対して略平行となる構成にも限定されない。水平状態のときの第１位置と、傾斜状態の第２位置と、を比較したときに、第２位置の方が天板となす角度が小さくなる構成であればよい。
【符号の説明】
【００５４】
１…テーブル、１０…天板、１１…主回転軸、１２…支持部、１３…第１回転軸、１４…レバー、２０…脚部、２１…主脚、２２…副脚、２３…キャスター、３０…幕板、３０ａ…第１端部、３０ｂ…前側主要面、３１…リンク部材、３２…第２回転軸、３３…第３回転軸、４１…凹部、４２…円柱部、６０…幕板、６１…凹部、６１ａ…傾斜面、７０…幕板、７１…凹部、７１ａ…壁面、８０…幕板、８１…凹部、８１ａ…壁面、９０…幕板、９１…凹部、１００…幕板、１０１…凹部、１１０…幕板、１１１…凹部、２００…幕板
【図１】
0006687334.tif 000002
【図２】
0006687334.tif 000003
【図３】
0006687334.tif 000004
【図４】
0006687334.tif 000005
【図５】
0006687334.tif 000006
【図６】
0006687334.tif 000007
【図７】
0006687334.tif 000008
【図８】
0006687334.tif 000009
【図９】
0006687334.tif 000010
【図１０】
0006687334.tif 000011
【図１１】
0006687334.tif 000012